(57)【要約】【課題】警備装置本体で警戒ボタン、及び警戒解除ボタンのボタン操作の規制、及びその解除を行うことができるようにするに際して、警備装置に増設するボタンの数を最小限に留め、しかも安価に構成する。【解決手段】制御装置１は、警戒ボタン２及び警戒解除ボタン３の操作に規制が掛けられていないときに暗証番号ボタン４が操作され、更にセンサチャネル選択ボタンにより予め登録されている暗証番号が入力された場合には、警戒ボタン２及び警戒解除ボタン３の操作に規制を掛け、警戒ボタン２及び警戒解除ボタン３の操作に規制が掛けられているときに暗証番号ボタン４が操作され、更にセンサチャネル選択ボタンにより予め登録されている暗証番号が入力された場合には、警戒ボタン２及び警戒解除ボタン３の操作の規制を解除する。【選択図】  図１
2005301431.tif 000002
【特許請求の範囲】
【請求項１】
警戒ボタンと、
警戒解除ボタンと、
暗証番号ボタンと、
複数のセンサチャネル選択ボタンと、
警戒ボタン及び警戒解除ボタンの操作に規制が掛けられていないときに暗証番号ボタンが操作され、更にセンサチャネル選択ボタンにより予め登録されている暗証番号が入力された場合には、警戒ボタン及び警戒解除ボタンの操作に規制を掛け、警戒ボタン及び警戒解除ボタンの操作に規制が掛けられているときに暗証番号ボタンが操作され、更にセンサチャネル選択ボタンにより予め登録されている暗証番号が入力された場合には、警戒ボタン及び警戒解除ボタンの操作の規制を解除する制御装置と
を備えることを特徴とする警備装置。
【発明の詳細な説明】
【技術分野】
【０００１】
本発明は、警備装置に係り、特に、警備状態を切り換えるための操作の規制、及び規制の解除を行うための構成に関する。
【背景技術】
【０００２】
警備装置は、防犯センサの状態を監視し、侵入者があった場合、あるいは窓が破られたり、開けられた場合等の所定の異常が発生した場合にはブザーやベル、投光器等の威嚇装置を動作させて侵入者を威嚇したり、電話回線を介して警備会社の警備センタに異常通報を行ったりするものであり、一般家庭やオフィスビル等で利用されている。ここで、防犯センサには、侵入者を検知するための熱線センサ、窓やドアが開けられたことを検知するマグネットスイッチ、窓が破られたことを検知するための振動検知センサ等があるが、これらの防犯センサについては周知であるので詳細な説明は省略する。
【０００３】
警備装置には、通常、警備を行わない警戒解除状態と、警備を行う警戒状態の２つの警備状態が設定されている。なお、警戒状態は、防犯センサが検知信号を出力した場合には異常が発生したと判断する警備状態であり、警戒解除状態は、防犯センサが検知信号を出力した場合にも異常が発生したとは判断しない警備状態であることは周知である。
【０００４】
従って、警備装置では、警備状態を、警戒解除状態から警戒状態へ、あるいはその逆に警戒状態から警戒解除状態へ切り換える操作が行われるが、そのために、警備装置には警戒ボタンと、警戒解除ボタンが設けられ、警戒状態にあるときに警戒解除ボタンを操作すると、警備状態を警戒状態から警戒解除状態に切り換えることができ、警戒解除状態にあるときに警戒ボタンを操作すると、警備状態を警戒解除状態から警戒状態に切り換えることができるようになされている。
【０００５】
ところで、警戒ボタン及び警戒解除ボタンは、ボタン操作を無効としておくことが要求される場合と、有効としておくことが要求される場合がある。前者がボタン操作に規制を掛けた状態であり、後者がボタン操作の規制を解除した状態である。例えば、ホームセキュリティシステムを考えると、家人が在宅している場合は、必要に応じて警戒状態あるいは警戒解除状態を設定できるように、警戒解除ボタン及び警戒ボタンのボタン操作の規制を解除して、これらのボタンの操作ができるようにしておくのがよい。
【０００６】
しかし、家人全員が外出する場合には、警戒解除ボタン及び警戒ボタンのボタン操作に規制を掛けて、特定の人だけがこれらのボタン操作の規制を解除できるようにしておくことが必要となる。なぜなら、この場合にも警戒解除ボタン及び警戒ボタンの操作を有効としておくと、侵入者により警戒解除ボタンが操作されて、警戒状態から警戒解除状態に切り換えられてしまうことがあるからである。
【０００７】
そのため、従来においては、暗証番号入力手段を設け、ボタン操作に規制が掛けられている状態のときに、暗証番号入力手段により予め登録されている暗証番号を入力するとボタン操作の規制が解除され、ボタン操作が有効となり、ボタン操作の規制が解除されている状態のときに、暗証番号入力手段により予め登録されている暗証番号を入力するとボタン操作に規制が掛かり、ボタン操作が無効となるようになされている（例えば、特許文献１）。
【特許文献１】特開平８−２３５４７２号公報
【発明の開示】
【発明が解決しようとする課題】
【０００８】
しかしながら、特許文献１に記載のものでは表示部２０に暗証番号の数字が現れるまで入力ボタン２１、２２を押さなければならず、暗証番号の入力が非常に面倒であるという問題がある。この問題は、暗証番号を入力するための手段として、０〜９の数字ボタンを配置したテンキーを用いた場合にも同じである。
【０００９】
また、特許文献１をはじめとして、従来においては、暗証番号を入力するためのボタンは、警戒ボタンや警戒解除ボタン、あるいは後述するセンサチャネル選択ボタン等の、警備装置に必須のボタンに加えて設けられているので、ボタンの数が多くなり、その結果、どのボタンを操作すればよいか分かり難くなることもあり、操作者に対して違和感や抵抗感を感じさせることがあるという問題もあった。
【００１０】
それに対して、警戒ボタンや警戒解除ボタンの操作の規制、及びその解除を行うための方法として、ＲＦＩＤタグや、磁気カード等のカード類を用いる方法もある。これによれば、暗証番号を入力するためのボタンを設ける必要がないので、警備装置の本体に設けるボタンの数を必要最小限とすることができる。
【００１１】
しかし、ＲＦＩＤタグやカードは、外出時には携行して持ち運ばなければならず、紛失等の問題が生じる。そして、ＲＦＩＤタグやカードを紛失した場合には、上述したボタン操作を規制する操作、及びその規制を解除する操作を行うことができなくなるという問題があり、このことから、どうしても警備装置本体でボタン操作を規制する操作、及びその規制を解除する操作を行うことができるようにしておく必要がある。
【００１２】
更に、従来においては、警備装置本体で暗証番号入力によりボタン操作の規制、及びその解除を行う方法を採用した場合には、上述した通り、警備装置に必須のボタンに加えて、更に暗証番号入力のためのボタンを設けているのでコストが高くなるという問題があった。ＲＦＩＤタグやカードを用いる方法を採用した場合にも同様であり、ＲＦＩＤタグを用いる方法を採用した場合には、ＲＦＩＤタグからの情報を読み取る手段が必要となり、カードを用いる方法を採用した場合にはカードに書き込まれた情報を読み取る手段を警備装置本体に設けなければならず、何れもコストが高くなる要因となっていた。
【００１３】
そこで、本発明は、警備装置本体でボタン操作の規制、及びその解除を行うことができるようにするに際して、警備装置に増設するボタンの数を最小限に留めることができ、しかも安価に構成できる警備装置を提供することを目的とするものである。
【課題を解決するための手段】
【００１４】
上記目的を達成する本発明の警備装置は、警戒ボタンと、警戒解除ボタンと、暗証番号ボタンと、複数のセンサチャネル選択ボタンと、警戒ボタン及び警戒解除ボタンの操作に規制が掛けられていないときに暗証番号ボタンが操作され、更にセンサチャネル選択ボタンにより予め登録されている暗証番号が入力された場合には、警戒ボタン及び警戒解除ボタンの操作に規制を掛け、警戒ボタン及び警戒解除ボタンの操作に規制が掛けられているときに暗証番号ボタンが操作され、更にセンサチャネル選択ボタンにより予め登録されている暗証番号が入力された場合には、警戒ボタン及び警戒解除ボタンの操作の規制を解除する制御装置とを備えることを特徴とするものである。
【発明の効果】
【００１５】
本発明の警備装置によれば、警戒ボタンと、警戒解除ボタンと、暗証番号ボタンと、複数のセンサチャネル選択ボタンと、警戒ボタン及び警戒解除ボタンの操作に規制が掛けられていないときに暗証番号ボタンが操作され、更にセンサチャネル選択ボタンにより予め登録されている暗証番号が入力された場合には、警戒ボタン及び警戒解除ボタンの操作に規制を掛け、警戒ボタン及び警戒解除ボタンの操作に規制が掛けられているときに暗証番号ボタンが操作され、更にセンサチャネル選択ボタンにより予め登録されている暗証番号が入力された場合には、警戒ボタン及び警戒解除ボタンの操作の規制を解除する制御装置とを備えるので、センサチャネル番号ボタンを暗証番号の入力に利用するので、従来のように暗証番号を入力するために特別にボタンを設ける必要はないものであり、警備装置本体の表面に配置されるボタンは、警戒ボタン、警戒解除ボタン、及びセンサチャネル選択部という警備装置に必須なボタンに、暗証番号ボタンという一つのボタンを追加するだけでよく、従来のように操作者に対して違和感や抵抗感を感じさせることはなく、しかも安価に構成できるものである。
【発明を実施するための最良の形態】
【００１６】
以下、図面を参照しつつ発明の実施の形態について説明する。図１は、本発明に係る警備装置の一実施の形態のブロック構成を示す図であり、図中、１は制御装置、２は警戒ボタン、３は警戒解除ボタン、４は暗証番号ボタン、５は複数のセンサチャネル選択ボタンからなるセンサチャネル選択部、６は威嚇装置、１０は警備装置を示す。なお、以下、チャネルをｃｈと表記することもある。また、この警備装置１０において、ボタン操作の規制、及びその解除の対象となるのは警戒ボタン２と警戒解除ボタン３のみである。
【００１７】
警備装置には防犯センサが複数系統接続可能となされているのが通常であり、一つ一つの系統がセンサチャネルである。そして、この警備装置１０にはセンサチャネルが８あるものとしている。従って、図１に示すように、制御装置１には、ｃｈ１〜ｃｈ８の８チャネルの防犯センサが接続可能となされている。一つのセンサチャネルは一つの防犯センサで構成されている場合もあり、複数の防犯センサが直列に接続されて構成されている場合もある。
【００１８】
また、制御装置１には、警戒ボタン２、警戒解除ボタン３、暗証番号ボタン４、センサチャネル選択部５が接続されている。暗証番号ボタン４は、暗証番号を入力する際に操作するボタンであり、一つの押しボタンで構成される。センサチャネル選択部５には、制御装置１に接続可能なセンサチャネルの数と同じ数のセンサチャネル選択ボタンで構成されている。ここでは、各センサチャネル選択ボタンには、「１」〜「８」のセンサチャネル番号が記されているものとする。
【００１９】
制御装置１には、侵入者を威嚇するための威嚇装置６が接続可能となされている。威嚇装置６としては、周知のように、ベルやサイレン、あるいは投光器を用いることができる。また、制御装置１は、電話回線等のネットワークを介して、警備会社の警備センタに通報を行う機能を有していてもよいが、ここでは、この機能は搭載していないものとする。このことは本発明において本質的な事項ではない。
【００２０】
図２は、警備装置１０の本体の表面外観を示す図であり、警備装置１の表面に設けられるボタンは、警戒ボタン２、警戒解除ボタン３、暗証番号ボタン４、及びセンサチャネル選択部５の各センサチャネル選択ボタンだけである。なお、センサチャネル選択部５の各センサチャネル選択ボタンの横には、シール等によって、対応するセンサチャネルがどの箇所に配置されているものであるかを示すことができるようになされている。
【００２１】
以下、動作について説明する。いま、警戒ボタン２、警戒解除ボタン３の操作に規制が掛けられておらず、これら両ボタンの操作が有効であるとする。このとき、あるセンサチャネルを警戒状態とする場合には、まず、警戒ボタン２を操作し、次にセンサチャネル選択部５の当該センサチャネルのチャネル選択ボタンを操作すればよい。この操作によって、制御装置１は、当該センサチャネルを警戒状態に設定する。従って、この後、制御装置１は、当該センサチャネルから検知信号を受けると、異常が発生したと判断して、威嚇装置６を動作させる。
【００２２】
警戒状態にあるセンサチャネルを警戒解除状態にする場合も同様であり、この場合には、まず、警戒解除ボタン３を操作し、次にセンサチャネル選択部５の当該センサチャネルのチャネル選択ボタンを操作すればよい。この操作によって、制御装置１は、当該センサチャネルを警戒解除状態に設定する。従って、この後、制御装置１は、当該センサチャネルから検知信号を受けても異常が発生したとは判断しない。
【００２３】
さて、警戒ボタン２、警戒解除ボタン３の操作に規制が掛けられていないときに、これらのボタン操作に規制を掛ける場合には、まず操作者は暗証番号ボタン４を操作する。これにより制御装置１は、暗証番号の入力を待機する。次に操作者は暗証番号を入力することになるが、この警備装置１０では、暗証番号の入力はセンサチャネル選択部５のセンサチャネル選択ボタンを用いて行うようになされている。
【００２４】
例えば、制御装置１に予め登録された暗証番号が「１２３４」であるとすると、操作者は、センサチャネル選択ボタンを、「１」、「２」、「３」、「４」の順に操作すればよい。また、同じ数字を重複して用いることも可能となされており、例えば「１８６１」というような暗証番号とすることができる。
【００２５】
そして、制御装置１は、入力された暗証番号が予め登録されているものである場合には、警戒ボタン２と警戒解除ボタン３の操作に規制を掛け、これら両ボタンの操作を無効とする。従って、この後、これら両ボタンの操作の規制を解除するための操作が行われるまでの間は、制御装置１は、警戒ボタン２が操作されても無視し、また警戒解除ボタン３が操作されても無視する。ただし、制御装置１は、暗証番号ボタン４の操作は常に有効としている。
【００２６】
次に、警戒ボタン２、警戒解除ボタン３の操作に規制が掛けられているときに、これらのボタン操作の規制を解除する場合の動作についてであるが、この場合も同様に、まず、暗証番号ボタン４を操作する。これにより制御装置１は、暗証番号の入力を待機する。次に、上述したと同じく、センサチャネル選択部５のセンサチャネル選択ボタンにより暗証番号を入力する。
【００２７】
そして、制御装置１は、入力された暗証番号が予め登録されているものである場合には、警戒ボタン２と警戒解除ボタン３の操作の規制を解除し、これら両ボタンの操作を有効とする。従って、この後、これら両ボタンの操作を規制するための操作が行われるまでの間は、制御装置１は、警戒ボタン２が操作された場合にはその操作を有効とし、また警戒解除ボタン３が操作された場合にはその操作を有効とする。
【００２８】
このように、本発明に係る警備装置１０によれば、暗証番号の入力にセンサチャネル番号ボタンを利用するので、従来のように暗証番号を入力するために特別にボタンを設ける必要はないものであり、警備装置１０本体の表面に配置されるボタンは、警戒ボタン２、警戒解除ボタン３、及びセンサチャネル選択部５という警備装置１０に必須なボタンに、暗証番号ボタン４という一つのボタンを追加するだけでよいので、従来のように操作者に対して違和感や抵抗感を感じさせることはなく、しかも安価に構成できるものである。
【００２９】
以上、本発明の実施の形態について説明したが、本発明は上記実施の形態に限定されるものではなく、種々の変形が可能である。例えば、上述した実施の形態ではセンサチャネル数は８としたが、これに限るものではない。
【図面の簡単な説明】
【００３０】
【図１】本発明に係る警備装置の一実施の形態を示すブロック図である。
【図２】警備装置１０の本体の表面外観を示す図である。
【符号の説明】
【００３１】
１…制御装置、２…警戒ボタン、３…警戒解除ボタン、４…暗証番号ボタン、５…センサチャネル選択部、６…威嚇装置、１０…警備装置
【図１】
2005301431.tif 000003
【図２】
2005301431.tif 000004